(57)【要約】【課題】軸筒内に収納したボールペンレフィルのボールペンチップの先端部を、繰出操作によりボールペンレフィルを前進させて軸筒の先端開口部より突出してなる繰出機構を備えた繰出式のボールペンにおいて、ボールペンチップの先端部を軸筒の先端開口部より突出して紙面等に筆記した際に、常に直ぐに書き出せるようにする。【解決手段】ボールペンレフィル８の前方に、少なくともボールペンレフィル８が前進した際に、ボールペンチップ７のボール６が当接して軸筒２（口先部２ａ）の先端開口部１１側に傾倒し、ボール６の表面を擦ることでボール６が回転するように擦過部材２２を設ける。【選択図】図２
2012187715.tif 000002
【特許請求の範囲】
【請求項１】
軸筒内に収納したボールペンレフィルのボールペンチップの先端部を、繰出操作によりボールペンレフィルを前進させて軸筒の先端開口部より突出してなる繰出機構を備えた繰出式のボールペンにおいて、前記ボールペンレフィルの前方に、ボールペンチップのチップ本体に装着したボールに当接しボールペンチップが前進することでボールが擦られ、該ボールをチップ本体に対して回転させる当接部を有した擦過部材を、少なくともボールペンレフィルが軸筒に対して前進した際に、当接部がボールに当接して軸筒の先端開口部側に傾倒可能に設けて配したことを特徴とする繰出式のボールペン。
【請求項２】
前記擦過部材の少なくとも当接部を、ニトリルゴム、クロロプレンゴム、天然ゴム、ブチレンゴム、またはエチレンプロピレンゴムで形成しことを特徴とする、請求項１に記載の繰出式のボールペン。
【発明の詳細な説明】
【技術分野】
【０００１】
本発明は、軸筒内に収納したボールペンレフィルのボールペンチップの先端部を、繰出操作によりボールペンレフィルを前進させて軸筒の先端開口部より突出してなる繰出機構を備えた繰出式のボールペンに関する。
【背景技術】
【０００２】
従来、軸筒内に収納したボールペンレフィルのボールペンチップの先端部を、繰出操作によりボールペンレフィルを前進させて軸筒の先端開口部より突出してなる繰出機構を備えた繰出式のボールペンにおいては、図５〜図６を用いて説明すると、ボールペンチップ５１のチップ本体５２の先端縁部５２ａとボール５３間にあるインキが乾燥してインキ固化物の塊５４となり、特に油性ボールペンにおいては、紙面等への筆記の際に前記ボール５３が回転せずに、インキが付着したボール５３の表面が紙面等に当接しないのでインキが転写せず、直ぐに書き出せないという問題があった。また、非浸透面に筆記することができるインキを軸筒内に収容したボールペンにおいては、非浸透での筆跡の乾燥性を向上させるために、樹脂が多く配合されており、経時的にチップ本体５２の先端縁部５２ａとボール５３間にあるインキの乾燥が進み、前記と同様な理由から直ぐに書き出せないという問題が起こるので、こうしたインキを収容したボールペンでは、キャップ式にしてボールペンチップのボールの表面の乾燥を防止してあり、繰出式のボールペンとして提供できないという問題があった。
【０００３】
初期の書き出し性能は悪いものの、紙面等の筆記面にボールペンチップのボールを当接した状態でボールペンを動かしていると書き出せるようになる。その理由は、書けない状態でも筆記しているうちに、ボールがチップ本体に対して動いてインキ固化物の塊が破壊され、ボールが回転することで書き出せるようになるからである。
【０００４】
ところで、繰出式のボールペンにおいて、ボールペンチップの乾燥を防止するため、または軸筒の先端開口部からインキが漏れないようにと、軸筒の先端開口部の近傍に蓋またはインキ漏れ防止弁を設けた構造のものが知られており、例えば実開昭６３−６０６７９号公報により開示されているような、インキタンク５（ボールペンレフィル）の前方に、エラストマーの高粘弾性材料からなるスリット３を有した弁２を設け、前進するインキタンク５（ボールペンレフィル）の先端テーパー部（ボールペンチップ）により弁２のスリットが開かれて、さらにインキタンク５（ボールペンレフィル）が前進して筆記状態となる構造のものがある。
【０００５】
本発明者達は前記構造に着目し、繰出式のボールペンにおいて、軸筒内に収納したボールペンレフィルの前方に、ボールペンレフィルが前進した際に、ボールペンチップのチップ本体に装着したボールに当接する前記蓋や弁を設けた構造に着目し、繰出操作によりボールペンレフィルを前進させて軸筒の先端開口部からボールペンチップの先端部を突出させる際に、軸筒内に、ボールペンチップに装着したボールに当接する部材を配して、ボールをチップ本体に対して回転させることで前記インキ固化物の塊を破壊することを思いつき、本発明に至った。
【先行技術文献】
【特許文献】
【０００６】
【特許文献１】実開昭６３−６０６７９号公報
【発明の概要】
【発明が解決しようとする課題】
【０００７】
本発明は前記事実に鑑みてなされたもので、軸筒内に収納したボールペンレフィルのボールペンチップの先端部を、繰出操作によりボールペンレフィルを前進させて軸筒の先端開口部より突出してなる繰出機構を備えた繰出式のボールペンにおいて、ボールペンチップの先端部を軸筒の先端開口部より突出して紙面等に筆記した際に、常に直ぐに書き出せるようにすることを目的とするものであり、また、非浸透面に筆記することができるインキを収容したボールペンレフィルを、繰出式のボールペンとして提供できるようにすることを目的とする。
【課題を解決するための手段】
【０００８】
本発明は、
「１．軸筒内に収納したボールペンレフィルのボールペンチップの先端部を、繰出操作によりボールペンレフィルを前進させて軸筒の先端開口部より突出してなる繰出機構を備えた繰出式のボールペンにおいて、前記ボールペンレフィルの前方に、ボールペンチップのチップ本体に装着したボールに当接しボールペンチップが前進することでボールが擦られ、該ボールをチップ本体に対して回転させる当接部を有した擦過部材を、少なくともボールペンレフィルが軸筒に対して前進した際に、当接部がボールに当接して軸筒の先端開口部側に傾倒可能に設けて配したことを特徴とする繰出式のボールペン。
２．前記擦過部材の少なくとも当接部を、ニトリルゴム、クロロプレンゴム、天然ゴム、ブチレンゴム、またはエチレンプロピレンゴムで形成しことを特徴とする、前記１項に記載の繰出式のボールペン。」
である。
【０００９】
実開昭６３−６０６７９号公報により開示され前記弁構造は、ボールペンレフィルが前進した際に、ボールペンチップのチップ本体に装着したボールが弁に当接するが、ボールに当接する弁の当接部分が周状に複数に分割された構造だと、分割された複数の当接部分が同時にボールに当接してボールを擦るので、ボールがチップ本体に対して回転することはなく、前記弁は本発明で言う擦過部材とは違う。図４や図７に開示された構造では、軸径方向に向かって延びた１つの当接部がボールに当接しボールペンチップに対して移動する構造となっているが、前記弁はボールをチップ本体に対して回転させるためものではなく、前記の文献には、ボールが弁に擦られてボールがチップ本体に対して回転する旨の記載はない。
【００１０】
本発明は繰出式のボールペンは、軸筒内にボールペンレフィルが１本収容された構造のものでも良いし、軸筒内に複数本収容した多芯式のボールペンでも良い。
【００１１】
前記繰出機構としては、例えば、
ａ）軸筒の壁面に形成したカム溝と、先端にカム面を有したノック体と、前記カム面に噛合うカム受部を有した回転カム体とで構成され、ノック体の前方に回転カム体をカム受部をカム面に当接さて設けるとともに、ノック体及び回転カム体をカム溝に沿って摺動可能に配設し、ノック体を押圧することで回転カム体を前進させてその位置を保持する、いわゆるノック式と言われているもの、
ｂ）軸筒を前軸部（胴軸とも呼ばれている）と前軸部の後方に回転可能に連接した後軸部（鞘軸とも呼ばれている）とで構成し、後軸部を前軸部に対して回転して、後軸部内に形成したカム斜面により、ボールペンレフィルを前進させて、筆記先端部を軸筒の先端開口部より突出させて保持する、いわゆる「回転式」と言われているもの、
ｃ）ボールペンレフィルの後端にスライド片を装着し、該スライド片に形成した隆起部を軸筒後端部に形成した摺動溝より外方に突出させて、隆起部を軸筒の先端開口部側に押圧することでスライド片を前進させ、ボールペンレフィルを前進させて、ボールペンチップの先端部を軸筒の先端開口部より突出させて保持する、いわゆる「スライド式」と言われているもの
等があるが、本発明において繰出機構は特に限定されるものではない。
【００１２】
本発明における擦過部材は、ボールペンチップのチップ本体に装着したボールに当接し、擦過部材に対してボールペンチップが前進することでボールをチップ本体に対して回転させるものであれば良く、形状や材質について限定されるものではない。例えばボールに当接する部分の表面に微小な凹凸を設けることにより、または摩擦係数が大きい材質等を用いて形成することで本発明でいう擦過部材となる。
【００１３】
ボールが回転してチップ本体の先端縁部とボール間に付着したインキ固化物の塊を破壊するには、ボールが周方向に１度以上回転すれば良く、そのように擦過部材がボールに当接するように設ければ良い。また、擦過部材は、少なくともボールペンレフィルが前進した際に、ボールペンチップのボールが当接するように設けるが、ボールペンレフィルが前進する前から前記ボールが擦過部材に当接する位置に設けても良いし、ボールペンレフィルが前進して初めて前記ボールが当接する位置に設けても良い。
【発明の効果】
【００１４】
本発明は前記したような構造なので、 繰出操作によりボールペンチップの先端部を軸筒の先端開口部より突出して筆記する際は、常に擦過部材がボールに当接して該ボールをチップ本体に対して回転させるので、チップ本体の先端縁部とボール間とに付着したインキ固化物の塊は破壊され、ボールが回転してインキが付着したボールの表面の部分が紙面等の筆記面に常に当接するので、常に直ぐに書き出せる繰出式のボールペンを、簡単な構造で提供することができる。また、ボールペンレフィルが、軸筒内に収容した非浸透面に筆記することができるインキを収容したものであっても、常に直ぐに書き出せる繰出式のボールペンを提供することができる。
【００１５】
請求項２に係る発明とすることで、擦過部材の当接部がボールに当接して擦るとボールが回転するので、ボールが回転するように擦過部材の当接部の表面にわざわざ微小な凹凸をを設ける等の加工を施す必要がなく、擦過部材を容易に製造できるという利点がある。なお、擦過部材は、エラストマー材なら何でも良いと言うことではなく、シリコンゴムの場合には、当接部はボールの表面を滑ってしまうのでボールは回転しない。
【図面の簡単な説明】
【００１６】
【図１】本発明の繰出式のボールペンの実施例を示す、ノック式ボールペンの要部の縦断面図である。
【図２】図１における要部の拡大図である。
【図３】図２において、ノック体を押圧した直後の状態を示した図である。
【図４】図２において、ノック体を押圧してボールペンチップの先端部を突出した状態を示した図である。
【図５】一般的なボールペンチップの先端部分の縦断面図である。
【図６】図５における要部の拡大断面図である。
【発明を実施するための形態】
【００１７】
本発明の繰出式のボールペンは、  軸筒内に収容したボールペンレフィルの前方に、ボールペンチップのボールに当接してボールの表面を擦り、ボールをチップ本体に対して回転させるための擦過部材を設けるものである。
【実施例】
【００１８】
本発明の繰出式のボールペンの実施例を、図１〜図４を用いて説明する。
本実施例においては、繰出式のボールペンとして、軸筒内に１つのボールペンレフィルを収容したノック式筆記具として説明するが、本発明は前記ノック式筆記具に限定されるものではない。ノック式に代えて前記したような、回転式やスライド式の繰出機構を備えた繰出式のボールペンでも良い。また、軸筒内に収容されるボールペンレフィルは１つでなく、複数のボールペンレフィルを収容した多芯式のボールペンでも良い。
【００１９】
本実施例のノック式ボールペン１は従来のノック式ボールペンと同様に、軸筒２が先窄み状の口先部２ａと前軸部２ｂと後軸部２ｃとで構成されており、前軸部２ｂにはシリコンゴム等で形成したグリップ部材３を挿着して、前軸部２ｂの先端に口先部２ａを螺着して着脱自在に連結してある。前軸部２ｂの後端には螺着により着脱自在にクリップ部材４を一体に形成した後軸部２ｃを連結してある。
【００２０】
軸筒２内には、ボールぺン用インキ（図示せず）を収容したインキ収容管５の先端に、ボール６を回転自在に抱持したボールペンチップ７を装着したボールペンレフィル８を、コイルスプリング９によって後軸部２ｃの後端方向（図１において右側方向）に付勢した状態で収納してある。
【００２１】
前記ボールペンチップ７の先端部１０を口先部２ａの先端開口部１１から出没させる繰出機構は、従来から良く知られている機構で、後軸部２ｃの内壁面に形成したカム溝１２と、該カム溝に沿って前後に摺動可能な回転カム１３と、該回転カム１３を押圧し、前進させて回転を付与するための、図示していないが回転カム１３に設けた噛合歯に噛合う被噛合歯と前記カム溝に係合する突起部１４を有したノック体１５とで構成され、回転カム１３をカム溝１２に係合して配設し、回転カム１３の後端にノック体１５を、突起部１４をカム溝１２に係合し回転カム１３の噛合歯に被噛合歯を噛合わせ、ノック体１５の後端部が後軸部２ｃの後端より外方に突出した状態に配設した構造である。ノック体１５を先端開口部１１側に押圧することで、ボールペンレフィル８は前進し、ボールペンチップ７の先端部１０を先端開口部１１より突出し、回転カム１３とカム溝１２との作用により突出状態を維持する。
【００２２】
なお、前記突起部１４をノック体１５と一体に形成せずに、カム部を有した別部材（固定カムとも言われている場合もある。）を前記回転カム１３とノック体１５との間に介在させた構造としても良い。
【００２３】
本実施例では、ボールペンレフィル８のボールペンチップ７の先端が口先部２ａ内に位置しており、図２に示すように口先部２ａ内の内部は、前軸部２ｂに形成した雄ねじ部１６に螺着する雌ねじ部１７と、コイルスプリング９の一方端を挿入して保持する保持部１８と、ボールペンチップ７の外径より若干大径でボールペンチップ７が前後動可能な先端内壁部１９とで構成されおり、ボールペンレフィル８を後軸部２ｃの後端方向に付勢するコイルスプリング９を、一端を保持部１８に挿入して口先部２ａ内に保持してある。
【００２４】
先端内壁部１９には、前記保持部１８より小径で後端を前記保持部１８に連接した円筒状の嵌合凹部２０を設けてあり、該嵌合凹部２０の周状の１箇所に、軸心方向に延び、凹状で後端を前記保持部１８に開口した係合溝２１を設けてある。Ｌ字型に形成した片状でニトリルゴムで形成した擦過部材２２を、係合溝２１にＬ字型の長手片２２ａを挿着して係合し、Ｌ字型の短片２２ｂがボールペンチップ７の先端の前方に位置するように設けてある。本実施例では、短片２２ｂがボールペンチップ７のボール６に当接する当接部２３となり、該当接部２３となる短片２２ｂを、ボールペンチップ７の先端から離間して設けてあるが、最初からボールペンチップ７のボール６に当接するように設けても良い。
【００２５】
嵌合部２０に円筒状の固定部材２４を挿入し、前記擦過部材２２の長手片２２ａが係合溝２１内でがたつかないように被覆し、固定部材２４を嵌合凹部２０に接着や螺着により固定する。
【００２６】
本実施例のノック式ボールペン１は以上のような構造なので、従来のノック式ボールペンと同様に、ノック体１５を先端開口部１１側に押圧することで、カム溝１２と回転カム１３とノック体１５との間での相互作用によりボールペンレフィル８が前進し、図３に示すように、ボールペンチップ７のボール６が擦過部材２２の短片２２ｂに当接する。ボールペンレフィル８がさらに前進することで、ボール６は擦過部材２２の当接部２３によって擦られて回転し、ボールペンチップ７の先端部１０を口先部２ａに形成した先端開口部１１より突出させ、その状態を保持する。従来のノック式ボールペンと同様に、ノック体１５を再度押圧することで、ボールペンチップ７の先端部１０は先端開口部１１に没入する。
【産業上の利用可能性】
【００２７】
本発明は、繰出式のボールペンにおいて、書き出し性能を良くしたい場合に適用できる。
【符号の説明】
【００２８】
１  ノック式ボールペン
２  軸筒
６  ボール
７  ボールペンチップ
８  ボールペンレフィル
１１  先端開口部
２２  擦過部材
２３  当接部
【図１】
2012187715.tif 000003
【図２】
2012187715.tif 000004
【図３】
2012187715.tif 000005
【図４】
2012187715.tif 000006
【図５】
2012187715.tif 000007
【図６】
2012187715.tif 000008